【手続補正書】
【提出日】平成15年9月4日(2003.9.4)
【手続補正１】
【補正対象書類名】明細書
【補正対象項目名】特許請求の範囲
【補正方法】変更
【補正の内容】
【特許請求の範囲】
【請求項１】
所定の長さと、側方の受光面と、所定の周幅を有して湾曲した側方の光射出面とを有し、この光射出面から出る光強度パターンが前記所定の長さに沿って延びた長軸を有するように前記受光面に入った光を優先的に散乱させる、導光特性と光散乱特性との両方を有する材料で形成されたほぼロッド形状の部材と、
前記光射出面での光強度パターンが前記受光面のほぼ全周幅に渡って延びた短軸を有するのに充分な距離だけ離間して前記受光面の近くに配置され、かつ受光面に沿って延びた細長い光源と
中に前記光源が収容され、前記受光面に沿って延び、各々が内側光反射面と外側光吸収面とを備えた１対の側壁を有するハウジングと、
前記ハウジング内に配置され、前記光源を外部電源に接続するようにされた電気接続部材とを具備する擬似ネオン発光のための照明装置。
【請求項２】
前記細長い光源は、前記受光面にほぼ沿って延びたライン上に配設された複数の互いに離間した点光源である請求項１の照明装置。
【請求項３】
前記複数の点光源は、複数の発光ダイオードである請求項２の照明装置。
【請求項４】
前記発光ダイオードは、前記ラインに沿った方向に延びた長軸を有する楕円形をしている請求項３の照明装置。
【請求項５】
前記ハウジングは、可撓性材料でできており、また、前記電気接続部材は、ハウジングの長手方向に沿って延び、このハウジングにより形成される非線形形状と一致するように曲げられるように充分に可撓性を有する、請求項１の照明装置。
【請求項６】
前記電気接続部材は、可撓性を有するリボンである請求項５の照明装置。
【請求項７】
前記ハウジング内の光源と電気接続部材との位置を維持させるように、ハウジングの内部スペースを満たす光透過材を具備する請求項１の照明装置。
【請求項８】
前記光透過材は、透明である請求項７の照明装置。
【請求項９】
前記光透過材は、光散乱特性を有する請求項７の照明装置。
【請求項１０】
前記光源は、複数の発光ダイオードで構成されており、また、前記光透過材は、これら発光ダイオードの屈折率と実質的に合う屈折率を有している請求項７の照明装置。
【請求項１１】
前記光透過材は、前記ハウジングの長手方向に沿って延びた底壁を形成しており、この底壁は、入射光を前記導光体へと反射する光反射底面を有している請求項７の照明装置。
【請求項１２】
前記光透過材は、熱伝導体である請求項７の照明装置。
【請求項１３】
前記光源と受光面との間に位置され、前記光源と実質的に当接している光透過スペーサ部材を具備する請求項２の照明装置。
【請求項１４】
前記導光体とハウジングとは、一体的であり、耐衝撃性材料で形成されている請求項１の照明装置。
【請求項１５】
前記発光ダイオードは、各々の頂点が導光体の受光面と隣接しており、実質的に起立した位置でアラインメントされたハウジングを夫々有する請求項３の照明装置。
【請求項１６】
前記発光ダイオードは、前記導光体の長手方向に対して傾斜されたハウジングを有する請求項３の照明装置。
【請求項１７】
前記発光ダイオードは、前記受光面に対して逆にされた位置でアラインメントされているハウジングを夫々有する請求項３の照明装置。
【請求項１８】
所定の長さと、実質的に湾曲した前面と受光側面とを有し、この受光側面に入った光が前記前面で前記所定の長さに沿って延びた長軸を有する光強度パターンに優先的に散乱させる、導光特性と光散乱特性との両方を有する材料で形成された光伝送部材と、
前記受光側面と当接し、互いに離間した側壁を有し、前記光伝送部材の所定の長さに沿って延びた空間を規定し、前記側壁は、光反射内表面と光吸収表面とを有する、ハウジングと、
前記空間内に収容され、前記所定の長さに沿って延びた複数の点光源とを具備し、これら点光源は、前記前面から集められて射出される光分布パターンが均一に見えるように、点光源の各々からの光強度パターンを隣接した光強度パターンとオーバラップすることを可能にするのに充分に前記湾曲した前面から離れて位置されている、照明装置。
【請求項１９】
前記側壁の内面は、光反射材で覆われており、また、外面は、光吸収材で覆われている請求項１８の照明装置。
【請求項２０】
透明材のスペーサ部材を具備し、このスペーサ部材は、前記点光源と部材との間の空間の部分に位置されて充填している、請求項１８の照明装置。
【請求項２１】
透明材のスペーサ部材を具備し、このスペーサ部材は、前記点光源と部材との間の空間の部分に位置されて充填している、請求項２０の照明装置。
【請求項２２】
前記点光源は、ＬＥＤである請求項１８の照明装置。
【請求項２３】
前記電気部材は、前記ＬＥＤを互いに独立して閃光させるようにプログラムされたプロセッサーに接続されている請求項２２の照明装置。
【請求項２４】
前記ＬＥＤは、時間設定されたシーケンスで閃光する請求項２３の照明装置。
【請求項２５】
前記ＬＥＤは、移動の誘導を与えるように、第１の連なりの長手方向に沿った連続したグループで閃光される請求項２３の照明装置。
【請求項２６】
前記空間内に配設され、前記ハウジングの長手方向に延びた第２の連なりの、複数のＬＥＤを有し、この第２の連なりは、独立して励起されるように、電気部材に接続されている、請求項２２の照明装置。
【請求項２７】
前記第１の連なりのＬＥＤは、前記ハウジングの長手方向に沿って、前記第２の連なりのＬＥＤと交互に配置されている請求項２５の照明装置。
【請求項２８】
前記第１の連なりのＬＥＤは、前記第２の連なりのＬＥＤとは、異なる色の光を射出する請求項２６の照明装置。
【請求項２９】
光散乱特性を有する導光性の材料から、１対の側面と所定の長さを有する実質的に固体のロッドを、前記側面のうちの第１の側面から入る光が、前記所定の長さの方向にほぼ平行な長軸を有する楕円形の光強度パターンを形成させるように、形成する工程と、
前記第１の側面と接続された関係で、空間を規定するように、互いに離間した１対の側壁を有するハウジングを位置させる工程と、
前記ロッドとハウジングとを所望の形状に曲げる工程と、
前記側壁間の空間内に、可撓性のある電気接続部材に接続され、互いに離間した複数の点光源を配設する工程と、
光透過詰め材により前記空間を実質的に充填する工程とを具備する、擬似ネオン発行の可能な証明装置を形成する方法。
【請求項３０】
前記ロッドとハウジングとは、一体的なユニットとして形成されている請求項２９の方法。
【請求項３１】
前記側壁は、光反射性の内面を有する請求項２９の方法。
【請求項３２】
前記点光源は、ＬＥＤである請求項２９の方法。
【請求項３３】
前記ＬＥＤは、透明のハウジングを有し、また、前記詰め化合物は、この透明のハウジングの屈折率にほぼ相当した屈折率を有する請求項３２の方法。
【請求項３４】
前記ＬＥＤは、彩色されたハウジングを有する請求項３２の方法。
【請求項３５】
前記側壁は、光吸収性の外面を有する請求項２９の方法。
【請求項３６】
所定の長さと、側方の受光面と、側方の光射出面とを有する実質的に固体の漏れ導光ロッドと、
射出した光の一部を前記受光面の中に直接射出させるように、前記受光面近くに配置され、かつ受光面に沿って延びた細長い光源と、
前記細長い光源を囲む空間を規定し、前記導光ロッドに近接して、外部に位置するハウジングとを具備し、このハウジングは、光が前記漏れ導光ロッドの所定の長さに沿って導かれて、導光ロッドの長さに沿って延びる長軸を有する細長い光強度パターンで前記光射出面から射出するように、前記光源により射出された光を集めで前記側方の受光面の中へと導く、照明装置。
【請求項３７】
前記受光面と細長い光源とに当接し、前記空間の少なくとも一部を満たす透明材をさらに具備し、この透明材は、前記光源と導光ロッドとの間のフレネルロスを減じるような屈折率を有する請求項３６の照明装置。
【請求項３８】
前記細長い光源は、複数の点光源である請求項３７の照明装置。
【請求項３９】
前記点光源は、発光ダイオードである請求項３８の照明装置。
【請求項４０】
前記透明材の屈折率は、前記導光ロッド、並びに前記発光ダイオードのハウジングの屈折率とほぼ同じである請求項３９の照明装置。
【請求項４１】
前記発光ダイオードは、前記前面から集められて射出される光強度パターンが均一なように、前記点光源の各々からの光強度パターンが近接した光強度パターンとオーバラップすることを可能にするのに充分にように前記湾曲した面から離間して配置されている請求項３９の照明装置。
【請求項４２】
前記導光ロッドは、光散乱特性を有するアクリルで形成されている請求項３６の照明装置。
【請求項４３】
前記ハウジングは、内部に光を反射する面を有する側壁を有する請求項３６の照明装置。
【請求項４４】
前記側壁は、外側に光吸収面を有する請求項４３の照明装置。